(57)【要約】【課題】容易なスクロール操作によって、表示情報を微調整する。【解決手段】通常スクロールバーＭのスクロールボタンＭＢ上でポインタＰを上方へ移動させ、拡大スクロールバーＮを表示させる。それとともに、通常スクロールバーＭの一部であるスケール範囲Ｊを、拡大スクロールバーＮ全体のスケールＳＮとして定め、拡大スクロールバーＮに合わせて表示する。そして、第２スクロールボタンＮＢの移動に合わせて、フレームＲに表示される静止画像をスクロールさせる。【選択図】図３
2009295147.tif 000002
【特許請求の範囲】
【請求項１】
第１スクロールボタンを設けた第１スクロールバーを表示する第１表示手段と、
前記第１スクロールボタンの移動に応じて表示情報をスクロールさせるスクロール制御手段と、
前記第１スクロールバーの表示中に所定の操作が行われると、第２スクロールバーを表示する第２表示手段とを備え、
前記第１表示手段が、前記第１スクロールバーに合わせて表示情報に関連するスケールを表示し、
前記第２表示手段が、前記第１スクロールバーの中で前記第１スクロールボタンを含む部分的スケール範囲を、前記第２スクロールバーのスケールとして表示し、
前記スクロール制御手段が、前記第２スクロールバーの表示中、前記第２スクロールバーに対する操作に応じて表示情報をスクロールさせることを特徴とする情報処理装置。
【請求項２】
前記第１スクロールバーと前記第２スクロールバーが同時に表示されることを特徴とする請求項１に記載の情報処理装置。
【請求項３】
前記第１表示手段が、前記第２スクロールバーのスクロールに合わせて前記第１スクロールボタンの位置を移動させることを特徴とする請求項２に記載の情報処理装置。
【請求項４】
前記第２表示手段が、前記第２スクロールバー内で移動する第２スクロールボタンを表示し、
前記スクロール制御手段が、前記第２スクロールボタンの移動に応じて表示情報をスクロールさせることを特徴とする請求項１に記載の情報処理装置。
【請求項５】
前記第２表示手段が、前記第２スクロールバーに対する所定の操作に応じてスケール範囲を変更させることを特徴とする請求項４に記載の情報処理装置。
【請求項６】
前記第２表示手段が、前記第２スクロールバーの長手方向とは異なる方向に沿った前記第２スクロールボタンに対する所定の操作が行われると、操作量に応じて前記スケール範囲を変更することを特徴とする請求項５に記載の情報処理装置。
【請求項７】
前記第２表示手段が、前記第２スクロールバーを、所定の操作に応じて軸回転表示させ、
前記スクロール制御手段が、前記第２スクロールバーの軸心位置から操作位置までの距離に応じて表示情報をスクロールさせることを特徴とする請求項１に記載の情報処理装置。
【請求項８】
前記第２表示手段が、前記第２スクロールバーの代わりに、中心位置からの距離に応じたスケール量をもつ放射状のインジケータを表示し、指定位置に応じたスケール量を文字情報で表示することを特徴とする請求項１に記載の情報処理装置。
【請求項９】
前記スクロール制御手段が、前記第１スクロールバー表示のとき動画像をスクロールし、前記第２スクロールバーが表示されると、静止画像をスクロールすることを特徴とする請求項１乃至８のいずれかに記載の情報処理装置。
【請求項１０】
所定のスケール範囲でスクロールボタンが移動する第１スクロールバーの表示中に所定の操作が行われると、第２スクロールバーを表示するスクロールバー表示手段と、
前記第１スクロールバーの中で前記スクロールボタンを含む部分的スケール範囲を、前記第２スクロールバーのスケールとして表示するスケール表示手段と
を備えたことを特徴とするスクロールバー表示制御装置。
【請求項１１】
所定のスケール範囲でスクロールボタンが移動する第１スクロールバーの表示中に所定の操作が行われると、第２スクロールバーを表示するスクロールバー表示手段と、
前記第１スクロールバーの中で前記スクロールボタンを含む部分的スケール範囲を、前記第２スクロールバーのスケールとして表示するスケール表示手段とを機能させることを特徴とするプログラム。
【請求項１２】
所定のスケール範囲でスクロールボタンが移動する第１スクロールバーの表示中に所定の操作が行われると、第２スクロールバーを表示し、
前記第１スクロールバーの中で前記スクロールボタンを含む部分的スケール範囲を、前記第２スクロールバーのスケールとして表示することを特徴とするスクロールバー表示制御方法。
【発明の詳細な説明】
【技術分野】
【０００１】
本発明は、画像、テキストなど画面に表示される情報をスクロール可能な情報処理装置に関し、特に、スクロールバーの表示に関する。
【背景技術】
【０００２】
ワープロソフト、表計算ソフト、あるいは画像再生編集ソフトなどでは、表示情報をスクロールできるように動作環境が設定されている。そこでは、文書、画像などの表示情報とともに、スクロールボタンを設けたスクロールバーが表示される。通常のスクロールバーでは、スクロールバーの両端にスクロール量を微調整する一対の矢印ボタン（ＵＰ、ＤＯＷＮボタンなど）が表示され、スクロールバー内でスクロールボタンをドラッグすることによって表示情報がスクロールされる。
【０００３】
このようなスクロールバーでは、表示情報の微小なスクロールとダイナミックなスクロール両方を一度に行うことが難しい。そのため、スクロールバーの中に、一対の矢印ボタンおよびスクロールボタンを供えたスクロールボックスを設ける構成が知られている（特許文献１参照）。また、表示装置において、時刻などの目盛りをバーに合わせてスケール表示することが可能であり、所定の操作に応じてスケールの目盛単位を変更する方法も知られている（特許文献２参照）。
【先行技術文献】
【特許文献】
【０００４】
【特許文献１】特開２００１−４２９９１号公報
【特許文献２】特開２０００−８２０４８号公報
【発明の概要】
【発明が解決しようとする課題】
【０００５】
特許文献１のようにスクロールボタンを配置させたスクロールボックスにおいても、スケールの目盛単位は細かくならない。したがって、動画編集など表示情報を細かく切り替える必要がある場合、スクロール操作による微調整が難しい。
【課題を解決するための手段】
【０００６】
本発明のグラフィック表示処理に関する情報処理装置は、第１スクロールボタン（スクロールノブ）を設けた第１スクロールバーを表示する第１表示手段と、第１スクロールボタンの移動に応じて表示情報をスクロールさせるスクロール制御手段と、第１スクロールバーの表示中に所定の操作が行われると、第２スクロールバーを表示する第２表示手段とを備える。例えば、画像再生ソフトの場合、スクロール制御手段は、第１スクロールバー表示のとき動画像を表示情報としてスクロールし、第２スクロールバーが表示されると、静止画像を表示情報としてスクロールすればよい。
【０００７】
例えば、第１スクロールボタン上でのポインタスライド操作、もしくは専用ボタン操作に応じて第２スクロールバーを表示すればよい。例えば、ドラッグ＆ドロップによって第２スクロールバーの表示／非表示を切り替える。第２スクロールバーには、第２スクロールバー内で移動する第２スクロールボタンを設けるのがよい。
【０００８】
本発明では、第１表示手段が、第１スクロールバーに合わせて表示情報に関連するスケールを表示し、第２表示手段が、第１スクロールバーの中で第１スクロールボタンを含む部分的スケール範囲を、第２スクロールバーのスケールとして表示し、スクロール制御手段が、第２スクロールバーの表示中、第２スクロールバーに対する操作に応じて表示情報をスクロールさせる。例えば、スクロール制御手段は、第２スクロールボタンの移動に応じて表示情報をスクロールさせる。
【０００９】
第２スクロールバーでは、第１スクロールバーに比べて一定距離スクロールボタンを移動させたときの目盛変動が小さい。そのため、ユーザは、第２スクロールバーによってスクロール量を容易に微調整することができる。
【００１０】
全体スケールの中でスクロール調整している部分を確認するため、第１スクロールバーと第２スクロールバーを同時に表示するのが好ましい。この場合、第１表示手段は、第２スクロールバーのスクロールに合わせて第１スクロールボタンの位置を移動させるのがよい。
【００１１】
より細かなスクロール調整を行うため、第２表示手段は、第２スクロールバーに対する所定の操作に応じてスケール範囲を変更させるのがよい。例えば、第２スクロールボタンに対する所定の操作によってスケール範囲を変更すればよく、具体的には、第２スクロールバーの長手方向とは異なる方向（例えば垂直方向）に沿った第２スクロールボタンに対する所定の操作が行われると、操作量に応じてスケール範囲を変更すればよい。
【００１２】
ユーザのスクロール操作を容易にするため、第２表示手段が、第２スクロールバーを、所定の操作に応じて軸回転表示させ、スクロール制御手段が、第２スクロールバーの軸心位置から操作位置までの距離に応じて表示情報をスクロールさせるのが望ましい。あるいは、第２スクロールバーの代わりに、中心位置からの距離に応じたスケール量をもつ放射状のインジケータを表示し、指定位置に応じたスケール量を文字情報で表示するように構成してもよい。
【００１３】
本発明のスクロールバー表示制御装置は、所定のスケール範囲でスクロールボタンが移動する第１スクロールバーの表示中に所定の操作が行われると、第２スクロールバーを表示するスクロールバー表示手段と、第１スクロールバーの中で第１スクロールボタンを含む部分的スケール範囲を、第２スクロールバーのスケールとして表示するスケール表示手段とを備えたことを特徴とする。また、本発明のプログラムは、所定のスケール範囲でスクロールボタンが移動する第１スクロールバーの表示中に所定の操作が行われると、第２スクロールバーを表示するスクロールバー表示手段と、第１スクロールバーの中で第１スクロールボタンを含む部分的スケール範囲を、第２スクロールバーのスケールとして表示するスケール表示手段とを機能させることを特徴とする。
【００１４】
本発明のスクロールバー表示制御方法は、所定のスケール範囲でスクロールボタンが移動する第１スクロールバーの表示中に所定の操作が行われると、第２スクロールバーを表示し、第１スクロールバーの中で第１スクロールボタンを含む部分的スケール範囲を、第２スクロールバーのスケールとして表示することを特徴とする。
【発明の効果】
【００１５】
本発明によれば、容易なスクロール操作によって、表示情報を微調整することができる。
【図面の簡単な説明】
【００１６】
【図１】第１の実施形態であるコンピュータのブロック図である。
【図２】画像再生ソフトを起動させたときの表示画面を示した図である。
【図３】拡大スクロールバーの表示画面を示した図である。
【図４】拡大スクロールバーでのスケール変更を示した図である。
【図５】スケール範囲変更のスクロールバー表示画面を示した図である。
【図６】スクロールバー表示処理を示した図である。
【図７】第２の実施形態である情報処理装置のスクロールバー表示画面を示した図である。
【図８】第３の実施形態におけるスクロールバー表示画面を示した図である。
【図９】第４の実施形態におけるスクロールバー表示画面を示した図である。
【図１０】あらたにスケール変更されたスクロールバー表示画面を示した図である。
【発明を実施するための形態】
【００１７】
以下では、図面を参照して本実施形態であるコンピュータについて説明する。
【００１８】
図１は、第１の実施形態であるコンピュータのブロック図である。コンピュータ１０には、キーボード３０、マウス３５、モニタ４０が接続されており、画像データを記録したＤＶＤ６０が装着可能である。制御部５０は、コンピュータ１０の動作を制御する。
【００１９】
ＲＯＭなどのメモリ４２には、コンピュータ１０の制御に関するプログラムが格納されており、また、ワープロソフト、表計算ソフト、さらには画像再生ソフトといったアプリケーションソフトウェアの動作プログラムが格納されている。
【００２０】
画像再生ソフトが起動されると、制御部５０によってＤＶＤ６０に記録された画像データが読み出され、ビデオ処理回路４４へ送られる。ビデオ処理回路４４では、ソフトによる表示画面上に文字情報、アイコンなどのキャラクタ情報を表示するように、画像データが処理される。
【００２１】
以下、図２〜図５を用いて画面のスクロール画面表示について説明する。ここでは、画像再生ソフトにおけるスクロール表示について説明する。
【００２２】
図２は、画像再生ソフトを起動させたときの表示画面を示した図である。
【００２３】
ユーザによって所定の画像ファイルが選択されると、ＤＶＤ６０に記録されている映像がモニタ４０のフレームＲ内に再生表示される。モニタ４０には、再生／一時停止ボタン（アイコンボタン）Ｋ１、停止ボタンＫ２などを含む一連のコントロールボタンＫが表示されるとともに、スクロールバー（以下、通常スクロールバーという）Ｍが表示される。
【００２４】
通常スクロールバーＭの両端には、一対の左右ボタンＭＬ、ＭＲが表示されており、その間にスクロールボタン（スクロールノブ）ＭＢが表示される。スクロールボタンＭＢは、ユーザの入力操作に応じて左ボタンＭＬ、右ボタンＭＲの間で移動可能である。
【００２５】
通常スクロールバーＭには、再生時間を所定時間間隔で刻んだスケールＳＭが表示され、通常スクロールバーＭの長さに合わせて等間隔で表示される。ここでは、動画の再生時間を１０時間とし、２時間間隔で目盛が表示されている。動画像を再生している間、動画像はフレームＲ内に映し出され、再生時間の経過とともにスクロールボタンＭＢが右ボタンＭＲの方向へ徐々に移動していく。
【００２６】
画像をスクロールする場合、ユーザは、マウス３５を使ってポインタＰを再生／一時停止ボタンＫ１上でクリックし、動画像表示を一時停止させる、そして、モニタ４０に表示されるポインタＰをスクロールボタンＭＢに載せ、ドラッグ＆ドロップしながらスクロールボタンＭＢを左右に移動させる。
【００２７】
その後、再生／一時停止ボタンＫ１がクリックされると、スクロールボタンＭＢの移動量に応じた時間分だけ動画像がスクロールされた状態で再生される。なお、動画像の再生中にスクロールボタンＭＢを左右に移動させ、スクロールすることも可能である。
【００２８】
図３は、拡大スクロールバーの表示画面を示した図である。動画像の表示を一時停止させた状態でスクロールボタンＭＢをドラッグし、その状態でポインタＰを上方に移動させると、一連のコントロールボタンＫが消去される一方、図３に示す拡大スクロールバーＮが、通常スクロールバーＭの上に同じ長さで表示される。
【００２９】
スクロールボタンＮＢを設けた拡大スクロールバーＮは、通常スクロールバーＭに比べてスケールをより細分化表示するためのスクロールバーである。拡大スクロールバーＮのスケールＳＮの範囲は、通常スクロールバーＭのスクロールボタンＭＢを含む部分的スケール範囲Ｊに対応している。ここでは、スケールの拡大率は１０倍に定められ、スクロールボタンＭＢを中心とした１時間のスケール範囲Ｊが拡大スクロールバーＮ全体のスケールＳＮとなっている。そして、１時間を１０分間隔で刻み、時刻が目盛表示されている。
【００３０】
図３では、スクロールボタンＭＢが４時間の位置にあり、通常スクロールバーＭの３時間３０分〜４時間３０分までの部分的スケール範囲Ｊが、拡大スクロールバーＮ全体のスケール範囲となる。すなわち、拡大スクロールバーの両端に「３：３０」と「４：３０」の目盛が表示され、１０分間隔で時刻が表示される。
【００３１】
モニタ４０には、拡大スクロールバーＮの両端と通常スクロールバーＭの部分的スケール範囲Ｊの両端を結ぶ破線ＢＬが表示される。ユーザは、破線ＢＬを見ながら、どの再生時間帯について拡大し、スクロール可能であるのか確認する。
【００３２】
拡大スクロールバーＮが表示される間、スクロールボタンＮＢの位置に応じた静止画像がフレームＲに表示される。ユーザがスクロールボタンＮＢを左右に移動させると、その移動にあわせて静止画像がスクロールされる。
【００３３】
さらに、図３に示した状態でドラックしながらポインタＰを上方へ移動させると、スケールの拡大率がアップし、拡大スクロールバーＮのスケール範囲が変更される。
【００３４】
図４は、拡大スクロールバーＮでのスケール変更を示した図である。ポインタＰを図３において所定距離以上スクロールボタンＮＢ上で上方に移動させると、その移動量に応じて、拡大率の上昇したスケール範囲によるスケールＳｚが表示される。通常スクロールバーＭにおける部分的スケール範囲Ｊも、それに合わせてより短いスケール範囲Ｊｚに変更される。
【００３５】
図４では、１時間のスケール範囲Ｊが３２分間のスケール範囲Ｊｚに変更される。そして、３２分間のスケール範囲Ｊｚを拡大表示したスケールＳｚが表示される。図４に示すように、時刻「３：４４」と「４：１６」が拡大スクロールバーＮの両端に変更表示され、４分刻みで時刻が表示される。
【００３６】
さらに、図４に示した状態でユーザが第２スクロールボタンＮＢをドラッグしながら左端、すなわち３：４４の位置まで移動させると、拡大スクロールバーＮのスケール範囲が変更される。
【００３７】
図５は、スケール範囲変更のスクロールバー表示画面を示した図である。図５に示すように、スクロールボタンＮＢが左端まで移動すると、スクロールボタンＮＢが拡大スクロールバーＮの中心位置に移動し、時間「３：４４」がスケール中心となる。拡大スクロールバーＮの両端には、３時間２８分（３：２８）と４時間（４：００）の時刻が表示される。
【００３８】
このように、図４では左端に合った時刻が拡大スクロールバーＮの中心時刻となり、それにあわせて全体スケール範囲も変更される。ユーザがスクロールボタンＮＢを右端の時刻４：１６まで移動させると、同様に４：１６を時刻中心としてスケール範囲が変更される。
【００３９】
通常スクロールバーＭのスクロールボタンＭＢも、拡大スクロールバーＮのスケール範囲変更に合わせて位置が移動する。そして、スケール範囲を明示する破線ＢＬの表示位置が、スクロールボタンＭＢの位置の移動に合わせて変更される。
【００４０】
図６は、スクロールバー表示処理を示した図である。以下では、スクロールバー表示処理を中心に説明する。
【００４１】
動画像を表示している最中に再生／一時停止ボタンＫ１がクリックされると（Ｓ１０１）、動画像表示が停止し、スクロールボタンＭＢの位置の時刻に応じた静止画像がフレームＲに表示される（Ｓ１０２）。そして、スクロールボタンＭＢ上にポインタＰが重ねて表示された状態でドラッグ操作が行われるか判断される（Ｓ１０３）。
【００４２】
ポインタＰがスクロールボタンＭＢ上にある状態でドラッグ操作が行われていない場合、操作に対応した処理が実行される（Ｓ１０４）。一方、スクロールボタンＭＢ上でドラッグ操作が行われると、上下方向にポインタＰが上方へ移動、すなわちユーザがドラッグ状態でマウス３５を上方向に移動させたか否かが判断される（Ｓ１０５）。
【００４３】
上方向ではなく左右方向にポインタＰを移動させた場合、静止画像をスクロールさせ、スクロールボタンＭＢの移動位置に応じた静止画像がフレームＲに表示される（Ｓ１０７、Ｓ１０８）。また、ドラッグ状態が解除された場合、ステップＳ１０１に戻る（Ｓ１０９、Ｓ１１０）。
【００４４】
一方、ポインタＰをスクロールボタンＭＢ上で上に移動させた場合、図３に示すように、一連のコントロールボタンＫの代わりに拡大スクロールバーＮが表示される（Ｓ１０６）。これにより、コントロールバーＭの一部スケール範囲を拡大したスケールＳＮがコントロールバーＭの長さに合わせて表示される。
【００４５】
さらにドラッグ状態でポインタＰが上方向へ移動すると、図４に示すように、拡大率を上昇させたスケールＳｚが表示される（Ｓ１１１、Ｓ１１２）。一方、左右方向にポインタＰを移動させた場合、両端にまでスクロールボタンＮＢが移動したかを判断する（Ｓ１１３、Ｓ１１４）。
【００４６】
スクロールボタンＮＢがスクロールバーＮの両端まで移動した場合、図５に示すようにスケール範囲を変更する（Ｓ１１５）。そして、スクロールボタンＮＢの移動位置に応じた静止画像がフレームＲに表示される（Ｓ１１６）。一方、ドラッグ状態が解除された場合、ステップＳ１０１に戻る（Ｓ１１７、Ｓ１１８）。
【００４７】
このように第１の実施形態によれば、通常スクロールバーＭのスクロールボタンＭＢ上でポインタＰが上方へ移動すると、拡大スクロールバーＮが表示される。それとともに、通常スクロールバーＭの一部であるスケール範囲Ｊが、拡大スクロールバーＮ全体のスケールとして定められ、拡大スクロールバーＮに合わせて表示される。そして、第２スクロールボタンＮＢの移動に合わせて、フレームＲに表示される静止画像がスクロールされる。
【００４８】
拡大スクロールバーＮでは、通常スクロールバーＭに対して拡大率１０倍のスケールでスクロールボタンＮＢの位置を調整することができる。これにより、静止画像を選択するためのスクロール微調整を容易に行うことができ、ユーザインターフェイスの優れたスクロール操作が行える。
【００４９】
拡大スクロールバーＮは、通常スクロールバーＭと同じ長さでなくてもよい。また、拡大率は１０倍に限定されない。スクロールボタン上でのクリック操作によって、動画像の一時停止および静止画像の表示を実行してもよい。
【００５０】
また、図５に示すスケール変更については、拡大スクロールバーの両端位置までの移動に限定せず、所定の時刻まで移動させたとき拡大スクロールバーのスケール範囲を変更表示してもよい。さらに、最後のスクロール操作時の倍率を記憶させ、次回の初期倍率として設定してもよい。
【００５１】
拡大スクロールバーＮでのスクロール表示では、スクロールボタンＭＢの上方移動以外によってスクロール調整してもよく、例えばマウスホイールの操作によってスクロールさせてもよい。あるいは、キーボードキーの操作でもよい。また、拡大スクロールバーＮを表示させる場合、ドラッグ操作以外の操作によって実行してもよい。
【００５２】
図７は、第２の実施形態である情報処理装置のスクロールバー表示画面を示した図である。図７を用いて、第２の実施形態について説明する。
【００５３】
通常スクロールバーＭが表示されているときに所定の操作（例えば、ファンクションキーの操作）が行われると、図７に示すように、拡大スクロールバーＮが通常スクロールバーＭの隣に表示され、右ボタンＭＲ、左ボタンＭＬを共有している。一連のコントロールボタンＫは常に表示されている。
【００５４】
そして、所定のキー操作によって、再び通常スクロールバーＭのみが表示される。このような構成により、一連のコントロールボタンＫを非表示にする必要がない。なお、通常スクロールバーＭのスケール範囲Ｊと拡大スクロールバーＮの範囲を所定の色によって表示し、通常スクロールバーＭのどの部分が拡大スクロールバーＮに対応しているのかより明確に示すように構成してもよい。
【００５５】
次に、図８を用いて、第３の実施形態である情報処理装置について説明する。第３の実施形態では、拡大スクロールバーを軸回転移動可能に表示させる。それ以外の構成については、第１の実施形態について説明する。
【００５６】
図８は、第３の実施形態におけるスクロールバー表示画面を示した図である。
【００５７】
通常スクロールバーＭの表示中に所定の操作（ファンクションキー操作など）が行われると、図８に示すように、拡大スクロールバーＴが通常スクロールバーＭに対して垂直方向に表示される。
【００５８】
拡大スクロールバーＴは、支点Ｏ周りに軸回転表示され、通常スクロールバーＴのスクロールボタンＭＢには、拡大スクロールバーＴの移動に連動して位置変動する点（以下、作用点という）Ｚが設けられている。
【００５９】
作用点Ｚは、拡大スクロールバーＴに形成された穴マークＴｓに沿って表示され、拡大スクロールバーＴの軸回転表示によって穴マークＴｓが位置変動すると、穴マークＴｓの位置変動に合わせて作用点Ｚの表示位置が移動する。それに合わせてスクロールボタンＭＢも移動する。
【００６０】
拡大スクロールバーＴの先端部付近には、スケールＪｔが円弧状に表示される。第１実施形態と同様、表示されるスケールＪｔの範囲は、通常スクロールバーＭのスクロールボタンＭＢを中心とした部分的スケール範囲に基づく。
【００６１】
拡大スクロールバーＴは、梃子を模式的に表したバーであり、拡大スクロールバーＴに対する操作も、実際の梃子の操作をアナロジーとしている。すなわち、拡大スクロールバーＴが軸回転したときの作用点Ｚの位置変動は、拡大スクロールバーＴのような梃子部材に穴マークＴｓのような穴を設け、作用点Ｚのようなピンを穴に挿入させ、梃子部材を軸回転させたときのピンの移動に対応している。
【００６２】
したがって、拡大スクロールバーＴに対し、支点Ｏからより離れた位置で入力操作を行うほど、単位目盛（時刻）当たりの移動量が大きくなる。すなわち、支点Ｏから離れた位置で拡大スクロールバーＴの移動操作を行うことによって、スクロール量を微小に調整できる。
【００６３】
例えば、拡大スクロールバーＴのＷ点でドラッグし、ポインタＰの位置、すなわちマウスを所定距離だけ周方向に移動させると、僅かに拡大スクロールバーＴが回転し、スクロールされる時刻は微調整となる。一方、支点Ｏ付近のＱ点でドラッグして同じ距離だけポインタＰの位置を移動させた場合、拡大スクロールバーＴは大きく移動する。所定の操作が行われると、拡大スクロールバーＴの表示は消去される。
【００６４】
このように第３の実施形態によれば、スクロールボタンＭＢの水平方向移動の代わりに、拡大スクロールバーＴの円弧状移動によってスクロール量が調整される。これにより、スクロール量を自由に調整することができ、ユーザにとってスクロール微調整を容易に行うことができる。
【００６５】
なお、支点Ｏをドラッグによって拡大スクロールバーＴの中で自由に位置変更できるように構成してもよい。また、拡大スクロールバーＴの長さを変更できるように構成してもよい。例えば、図８のＲ点をクリックすることによって拡大スクロールバーＴをＲ点付近まで延長して表示し、さらにスクロール量を微調整できるように構成してもよい。
【００６６】
また、拡大スクロールバーＴの領域以外をクリックしただけで拡大スクロールバーＴがクリック位置に合わせて移動するように構成してもよい。例えば、図８に示すＳ点をクリックすることによって拡大スクロールバーＴをＳ点の位置まで移動させるように構成してもよい。
【００６７】
次に、図９、図１０を用いて、第４の実施形態である情報処理装置について説明する。第４の実施形態では、拡大スクロールバーを表示する代わりに、放射状にスケール表示する。それ以外の構成については、第１の実施形態と同じである。
【００６８】
図９は、第４の実施形態におけるスクロールバー表示画面を示した図である。通常スクロールバーＭが表示されている状態で所定の操作（ファンクションキー操作など）が行われると、図９に示すようなスケール表示画面に切り替えられる。
【００６９】
扇状で表されるスケールＳＪは、中心位置Ｏから延びる放射状の破線によって構成され、インジケータ表示されている。各破線の所定位置における時刻（スケール量）は、中心位置Ｏからの距離に基づいて規定されている。スケール間隔は、第３の実施形態と同様、扇状スケールＳＪの周方向に沿った間隔に基づいて定められる。垂直方向に沿った破線ＴＮが、スクロールボタンＭＢの指定する基準の時刻に対応し（ここでは時刻「４：００」）、破線ＴＮから離れるほど基準時刻から離れた時刻になっている。
【００７０】
ポインタＰが所定の場所を指定した状態でクリック操作が行われると、以下の式によってスクロール量、すなわち移動先の時刻ｔが求められる。
ｔ＝ｔ０＋Ｍ×ａｒｃｔａｎ（（ｘ−ｘ０）／（ｙ−ｙ０））      ・・（１）
ただし、ｔ０は扇状スケールの中心となる停止時刻、（ｘ０、ｙ０）はその中心位置Ｏの座標を表し、Ｍは拡大率（ここでは１０倍）を表す。
【００７１】
図９に示すように、４時間３分に応じた目盛上にポインタPが移動すると、文字情報ＳＱとして時刻「４：０３」が表示される。（１）式から明らかなように、破線上にない位置でクリック操作が行われても、スクロール量が求められる。表示された時刻「４：０３」が所望の時刻であれば、ユーザはこの状態でマウスをクリックする。
【００７２】
ポインタＰが所定の位置でクリック操作が行われてスクロール量が求められると、スクロール量に応じて静止画像がスクロールされる。そして、新たに設定された時刻に従ってスクロールボタンＭＢが移動し、スケールＳＪの中心位置Ｏも移動する。すなわち、スクロールボタンＭＢの移動に合わせてスケールＳＪの表示位置が移動する。
【００７３】
図１０は、あらたにスケール変更されたスクロールバー表示画面を示した図である。スケールＳＪの各破線で示される目盛（スケール量）は、クリック操作によって設定された時刻を基準として定められ、垂直方向に沿った破線ＴＮは、時刻「４：０３」に対応する。そして、新たにポインタＰが図１０に示す位置に移動されると、ポインタＰの位置に応じたスクロール量が（１）式によって算出され、移動後の時刻「４：０６」が文字情報ＳＲになって表示される。
【００７４】
第１〜第３の実施形態では、画像再生ソフトにおけるスクロール画面を示したが、ワープロソフト、表計算ソフトなど、他の任意のソフトにおけるスクロール画面にも適用可能である。この場合、ソフトの種類に応じてスケールの目盛（ページ番号など）が定められる。また、情報処理装置としての形態は任意であり、ポータブルコンピュータなど任意の情報処理可能な装置に適用可能である。
【符号の説明】
【００７５】
１０  コンピュータ
３５  マウス
４０  モニタ
Ｍ  通常スクロールバー（第１スクロールバー）
Ｎ、Ｔ  拡大スクロールバー（第２スクロールバー）
ＭＢ  スクロールボタン（第１スクロールボタン）
ＮＢ  スクロールボタン（第２スクロールボタン）  
【図１】
2009295147.tif 000003
【図２】
2009295147.tif 000004
【図３】
2009295147.tif 000005
【図４】
2009295147.tif 000006
【図５】
2009295147.tif 000007
【図６】
2009295147.tif 000008
【図７】
2009295147.tif 000009
【図８】
2009295147.tif 000010
【図９】
2009295147.tif 000011
【図１０】
2009295147.tif 000012